(57)【要約】      （修正有）【課題】同一の搬送波において複数のＴＴＩを動的にサポートしてデータ伝送を行う方法を提供する。【解決手段】方法において、端末デバイスは、第１のＤＣＩと第２のＤＣＩとを受信することと、第１のＤＣＩと第２のＤＣＩとの優先順位関係を確定することと、優先順位関係に基づいて、ターゲット搬送波において第１のＰＤＳＣＨ又は第２のＰＤＳＣＨを受信することと、を含む。ここで、第１のＤＣＩは、ターゲット搬送波において第１のＴＴＩを使用して伝送される第１のＰＤＳＣＨを受信するように、端末デバイスをスケジューリングするために用いられる。第２のＤＣＩは、ターゲット搬送波において、第２のＴＴＩを使用して伝送する第２のＰＤＳＣＨを受信するように、端末デバイスをスケジューリングするために用いられる。第１のＴＴＩは、第２のＴＴＩより小さい。第１のＰＤＳＣＨは、第２のＰＤＳＣＨと、時間リソースにおいて少なくとも部分的に重なる。【選択図】図２
2020120393.tif 000002
【特許請求の範囲】
【請求項１】
データ受信方法であって、
端末デバイスが、第１のダウンリンク制御情報（ＤＣＩ）を受信することであって、前記第１のＤＣＩが、第１の伝送時間間隔（ＴＴＩ）を使用して伝送する第１のＰＤＳＣＨをスケジューリングするために用いられることと、
前記端末デバイスが、前記第１のＰＤＳＣＨを受信している最中、第２のＤＣIを受信することであって、前記第２のＤＣＩが、第２のＴＴＩを使用して伝送する第２のＰＤＳＣＨをスケジューリングするために用いられ、前記第１のＴＴＩが前記第２のＴＴＩより大きいことと、
前記端末デバイスが、前記第１のＰＤＳＣＨを復調しないことと、を含むことを特徴とする、
データ受信方法。
【請求項２】
前記方法は、
前記端末デバイスが、フィードバック情報を送信することをさらに含み、前記フィードバック情報が、前記第１のＰＤＳＣＨに対応するフィードバック情報と、前記第２のＰＤＳＣＨに対応するフィードバック情報とを含むことを特徴とする、
請求項１に記載のデータ受信方法。
【請求項３】
前記第１のＰＤＳＣＨに対応するフィードバック情報が、ＮＡＣＫ情報であることを特徴とする、
請求項２に記載のデータ受信方法。
【請求項４】
前記第１のＰＤＳＣＨが前記第２のＰＤＳＣＨと、時間リソースにおいて少なくとも部分的に重なることを特徴とする、
請求項１〜３のいずれか１項に記載のデータ受信方法。
【請求項５】
データ伝送方法であって、
ネットワークデバイスが、端末デバイスに第１のダウンリンク制御情報（ＤＣＩ）を送信することであって、前記第１のＤＣＩが、第１の伝送時間間隔（ＴＴＩ）を使用して伝送する第１のＰＤＳＣＨをスケジューリングするために用いられることと、
前記ネットワークデバイスが、前記端末デバイスからの前記第１のＰＤＳＣＨに対するフィードバック情報を受信する前に、前記端末デバイスに第２のＤＣIを送信することであって、前記第２のＤＣＩが、第２のＴＴＩを使用して伝送する第２のＰＤＳＣＨをスケジューリングするために用いられ、前記第１のＴＴＩが前記第２のＴＴＩより大きいことと、
前記ネットワークデバイスが、前記端末デバイスからのフィードバック情報を受信することと、を含むことを特徴とする、
データ伝送方法。
【請求項６】
前記フィードバック情報が、前記第１のＰＤＳＣＨに対応するフィードバック情報と、前記第２のＰＤＳＣＨに対応するフィードバック情報とを含むことを特徴とする、
請求項５に記載のデータ伝送方法。
【請求項７】
前記第１のＰＤＳＣＨに対応するフィードバック情報が、ＮＡＣＫ情報であることを特徴とする、
請求項６に記載のデータ伝送方法。
【請求項８】
前記第１のＰＤＳＣＨが前記第２のＰＤＳＣＨと、時間リソースにおいて少なくとも部分的に重なることを特徴とする、
請求項５から７のいずれか１項に記載のデータ伝送方法。
【請求項９】
端末デバイスであって、受信ユニットを含み、
前記受信ユニットが、
第１のダウンリンク制御情報（ＤＣＩ）を受信することであって、前記第１のＤＣＩが、第１の伝送時間間隔（ＴＴＩ）を使用して伝送する第１のＰＤＳＣＨをスケジューリングするために用いられることと、
前記端末デバイスが、前記第１のＰＤＳＣＨを受信している最中、第２のＤＣIを受信することであって、前記第２のＤＣＩが、第２のＴＴＩを使用して伝送する第２のＰＤＳＣＨをスケジューリングするために用いられ、前記第１のＴＴＩが前記第２のＴＴＩより大きいことと、
前記第１のＰＤＳＣＨを復調しないことと、を実行するように構成されることを特徴とする、
端末デバイス。
【請求項１０】
フィードバック情報を送信するように構成される送信ユニットをさらに含み、前記フィードバック情報が、前記第１のＰＤＳＣＨに対応するフィードバック情報と、前記第２のＰＤＳＣＨに対応するフィードバック情報とを含むことを特徴とする、
請求項９に記載の端末デバイス。
【請求項１１】
前記第１のＰＤＳＣＨに対応するフィードバック情報が、ＮＡＣＫ情報であることを特徴とする、
請求項１０に記載の端末デバイス。
【請求項１２】
前記第１のＰＤＳＣＨが前記第２のＰＤＳＣＨと、時間リソースにおいて少なくとも部分的に重なることを特徴とする、
請求項９〜１１のいずれか１項に記載の端末デバイス。
【請求項１３】
ネットワークデバイスであって、送信ユニットと受信ユニットとを含み、
前記送信ユニットが、
端末デバイスに第１のダウンリンク制御情報（ＤＣＩ）を送信することであって、前記第１のＤＣＩが、第１の伝送時間間隔（ＴＴＩ）を使用して伝送する第１のＰＤＳＣＨをスケジューリングするために用いられることと、
前記端末デバイスからの前記第１のＰＤＳＣＨに対するフィードバック情報を受信する前に、前記端末デバイスに第２のＤＣIを送信することであって、前記第２のＤＣＩが、第２のＴＴＩを使用して伝送する第２のＰＤＳＣＨをスケジューリングするために用いられ、前記第１のＴＴＩが前記第２のＴＴＩより大きいことと、を実行するように構成され、
前記受信ユニットが、前記端末デバイスからのフィードバック情報を受信するように構成される、
ネットワークデバイス。
【請求項１４】
前記フィードバック情報が、前記第１のＰＤＳＣＨに対応するフィードバック情報と、前記第２のＰＤＳＣＨに対応するフィードバック情報とを含むことを特徴とする、
請求項１３に記載のネットワークデバイス。
【請求項１５】
前記第１のＰＤＳＣＨに対応するフィードバック情報が、ＮＡＣＫ情報であることを特徴とする、
請求項１４に記載のネットワークデバイス。
【請求項１６】
前記第１のＰＤＳＣＨが前記第２のＰＤＳＣＨと、時間リソースにおいて少なくとも部分的に重なることを特徴とする、
請求項１３〜１５のいずれか１項に記載のネットワークデバイス。
【発明の詳細な説明】
【技術分野】
【０００１】
本発明は通信分野に関し、具体的に、データ伝送方法、端末デバイス、及びネットワークデバイスに関する。
【背景技術】
【０００２】
将来の通信技術において、エアインターフェース技術と応用の継続的な発展に伴い、遅延の短縮は性能の重要な指標の一つになっている。例えば、移動端末のリアルタイムリモート監視（Ｒｅａｌ−ｔｉｍｅ  ｒｅｍｏｔｅ  ｃｏｍｐｕｔｉｎｇ  ｆｏｒ  ｍｏｂｉｌｅ  ｔｅｒｍｉｎａｌｓ）におけるエンドツーエンドの遅延が１０ｍｓより小さく要求され、高効率安全サービス（Ｔｒａｆｆｉｃ  ｅｆｆｉｃｉｅｎｃｙ  ａｎｄ  ｓａｆｅｔｙ）における遅延を５ｍｓと要求され、それに対して現行のロング・ターム・エボリューション技術（ＬＴＥ：Ｌｏｎｇ  Ｔｅｒｍ  Ｅｖｏｌｕｔｉｏｎ）における伝送時間間隔（ＴＴＩ：Ｔｒａｎｓｍｉｓｓｉｏｎ  Ｔｉｍｅ  Ｉｎｔｅｒｖａｌ）の時間長が１ｍｓである。
【０００３】
データ処理、及び復号化における遅延は、主にＴＴＩの長さに関係するため、伝送遅延を短縮するためのキーとなる技術の一つは、ＴＴＩを短縮することである。現在、進化型ロング・ターム・エボリューション（ＬＴＥ−Ａｄｖａｎｃｅｄ、ＬＴＥ−Ａ）のリリース１３（Ｒｅｌ−１３：Ｒｅｌｅａｓｅ  １３）において、より短いＴＴＩにおけるデータ伝送に関する研究を始めようとしている。短いＴＴＩを使用する利点は伝送遅延を短縮することであるが、シグナリングを制御するためのオーバーヘッドが高く、スペクトルの効率が低い。複数のサービスタイプを有する端末にとって、遅延要求が一番低いサービスに基づいて、統一のＴＴＩを確定する場合、リソースの無駄に繋がる。また、短いＴＴＩでの伝送をサポートする搬送波において、現行のＬＴＥシステムへの互換性も保証することができず、即ち、１ｍｓのＴＴＩに対応できない。
【発明の概要】
【０００４】
本発明の実施例は、データ伝送方法を提供し、同一の搬送波において複数のＴＴＩを動的にサポートしてデータ伝送を行うことができ、遅延に関する要求を満たすと共に、現行システムへの互換性も考慮できる。
【０００５】
第１の様態において、データ伝送方法を提供し、
端末デバイスは、第１のダウンリンク制御情報（ＤＣＩ）と第２のＤＣＩとを受信することと、
前記端末デバイスは、前記第１のＤＣＩと前記第２のＤＣIとの優先順位関係を確定することと、
前記端末デバイスは、前記優先順位関係に基づいて、前記ターゲット搬送波において前記第１のＰＤＳＣＨ又は前記第２のＰＤＳＣＨを受信することと、
を含み、
ここで、前記第１のＤＣＩが、ターゲット搬送波において、第１の伝送時間間隔（ＴＴＩ）を使用して伝送する第１の物理ダウンリンク共有チャネル（ＰＤＳＣＨ）を受信するように、前記端末デバイスをスケジューリングするために用いられ、第２のＤＣＩが、前記ターゲット搬送波において、第２のＴＴＩを使用して伝送する第２のＰＤＳＣＨを受信するように、前記端末デバイスをスケジューリングするために用いられ、前記第１のＴＴＩが前記第２のＴＴＩより小さく、前記第１のＰＤＳＣＨが前記第２のＰＤＳＣＨと、時間リソースにおいて少なくとも部分的に重なる。
【０００６】
以上から分かるように、本発明の実施例に提供される方法は、同一の搬送波において複数のＴＴＩを動的にサポートしてデータ伝送を行うことができ、端末デバイスは、一つのサブフレームにおける伝送チャネルの優先順位を確定することができ、当該方法は、遅延に関する要求を満たすのみならず、現行システムへの互換性も考慮できる。
【０００７】
第１の様態を結合し、第１の可能な実施形態において、前記第１のＤＣＩと前記第２のＤＣＩとの優先順位関係を確定することは、前記第１のＤＣＩと前記第２のＤＣＩとの無線ネットワーク一時識別子（ＲＮＴＩ）の優先順位に基づいて、前記第１のＤＣＩと前記第２のＤＣＩとの優先順位関係を確定することを含む。
【０００８】
ここで、前記ＲＮＴＩの優先順位は、第１のＲＮＴＩ優先順位と第２のＲＮＴＩ優先順位とを含む。前記第１のＲＮＴＩ優先順位は、システム情報ＲＮＴＩ、ページングＲＮＴＩ、ランダムアクセスＲＮＴＩ、一時ＲＮＴＩのうちのいずれか一つ又は複数を含み、前記第２のＲＮＴＩ優先順位は、セルＲＮＴＩ、準静的なスケジューリングＲＮＴＩのうちのいずれか一つ又は複数を含む。
【０００９】
第１の様態又は第１の様態の第１の可能な実施形態を結合し、第１の様態の第２の可能な実施形態において、前記第１のＤＣＩと前記第２のＤＣＩとの優先順位関係を確定することは、
前記第１のＤＣＩのＲＮＴＩの優先順位が前記第１のＲＮＴＩ優先順位に属する場合、前記第１のＤＣＩの優先順位が第１の優先順位であることを確定することと、
前記第１のＤＣＩのＲＮＴＩの優先順位が前記第２のＲＮＴＩ優先順位に属する場合、前記第１のＤＣＩの優先順位が第２の優先順位であることを確定することと、
前記第２のＤＣＩのＲＮＴＩの優先順位が前記第１のＲＮＴＩ優先順位に属する場合、前記第２のＤＣＩの優先順位が第１の優先順位であることを確定することと、
前記第２のＤＣＩのＲＮＴＩの優先順位が前記第２のＲＮＴＩ優先順位に属する場合、前記第２のＤＣＩの優先順位が第２の優先順位であることを確定することと、
を含む。
【００１０】
第１の様態又は第１の様態の上記のいずれか一つの可能な実施形態を結合し、第１の様態の第３の可能な実施形態において、前記優先順位関係に基づいて、前記ターゲット搬送波において前記第１のＰＤＳＣＨ又は前記第２のＰＤＳＣＨを受信することは、
前記第１のＤＣＩの優先順位が第１の優先順位であり、前記第２のＤＣＩの優先順位が第２の優先順位である場合、前記ターゲット搬送波において前記第１のＰＤＳＣＨを受信することと、
前記第１のＤＣＩの優先順位が第２の優先順位であり、前記第２のＤＣＩの優先順位が第１の優先順位である場合、前記ターゲット搬送波において前記第２のＰＤＳＣＨを受信することと、
を含む。
【００１１】
第１の様態又は第１の様態の上記のいずれか一つの可能な実施形態を結合し、第１の様態の第４の可能な実施形態において、前記優先順位関係に基づいて、前記ターゲット搬送波において前記第１のＰＤＳＣＨ又は前記第２のＰＤＳＣＨを受信することは、
前記第１のＤＣＩの優先順位が第１の優先順位であり、且つ前記第２のＤＣＩの優先順位が第１の優先順位である場合、又は、前記第１のＤＣＩの優先順位が第２の優先順位であり、且つ前記第２のＤＣＩの優先順位が第２の優先順位である場合、前記ターゲット搬送波において前記第１のＰＤＳＣＨを受信することを含む。
【００１２】
第１の様態又は第１の様態の上記のいずれか一つの可能な実施形態を結合し、第１の様態の第５の可能な実施形態において、前記方法は、
前記端末デバイスは、受信したＰＤＳＣＨに対応する肯定／否定応答（ＡＣＫ／ＮＡＣＫ）情報を送信すること、又は、
前記端末デバイスは、受信したＰＤＳＣＨに対応するＡＣＫ／ＮＡＣＫ情報を送信し、受信できていないＰＤＳＣＨに対応するＮＡＣＫ情報を送信すること、
を含み、
ここで、前記受信したＰＤＳＣＨが前記第１のＰＤＳＣＨである場合、前記受信できていないＰＤＳＣＨが前記第２のＰＤＳＣＨであり、前記受信したＰＤＳＣＨが前記第２のＰＤＳＣＨである場合、前記受信できていないＰＤＳＣＨが前記第１のＰＤＳＣＨである。
【００１３】
第２の様態において、端末デバイスを提供し、
第１のダウンリンク制御情報（ＤＣＩ）と第２のＤＣＩとを受信するように構成される受信ユニットと、
前記受信ユニットの受信した前記第１のＤＣＩと前記第２のＤＣＩとの優先順位関係を確定するように構成される確定ユニットと、
を含み、
ここで、前記第１のＤＣＩが、ターゲット搬送波において、第１の伝送時間間隔（ＴＴＩ）を使用して伝送する第１の物理ダウンリンク共有チャネル（ＰＤＳＣＨ）を受信するように、前記端末デバイスをスケジューリングするために用いられ、第２のＤＣＩが、前記ターゲット搬送波において、第２のＴＴＩを使用して伝送する第２のＰＤＳＣＨを受信するように、前記端末デバイスをスケジューリングするために用いられ、前記第１のＴＴＩが前記第２のＴＴＩより小さく、前記第１のＰＤＳＣＨが前記第２のＰＤＳＣＨと、時間リソースにおいて少なくとも部分的に重なる。
【００１４】
前記受信ユニットは、前記確定ユニットの確定した前記優先順位関係に基づいて、前記ターゲット搬送波において前記第１のＰＤＳＣＨ又は前記第２のＰＤＳＣＨを受信するようにさらに構成される。
【００１５】
当該端末デバイスは、上記の第１の様態及び各実施形態におけるデータ伝送のための方法の端末デバイスによって実施される各過程を実施するように構成されることが可能である。
【００１６】
第３の様態において、端末デバイスを提供し、
第１のダウンリンク制御情報（ＤＣＩ）と第２のＤＣＩとを受信するように構成されるレシーバーと、
前記第１のＤＣＩと前記第２のＤＣＩとの優先順位関係を確定するように構成されるプロセッサと、
を含み、ここで、前記第１のＤＣＩが、ターゲット搬送波において、第１の伝送時間間隔（ＴＴＩ）を使用して伝送する第１の物理ダウンリンク共有チャネル（ＰＤＳＣＨ）を受信するように、前記端末デバイスをスケジューリングするために用いられ、第２のＤＣＩが、前記ターゲット搬送波において、第２のＴＴＩを使用して伝送する第２のＰＤＳＣＨを受信するように、前記端末デバイスをスケジューリングするために用いられ、前記第１のＴＴＩが前記第２のＴＴＩより小さく、前記第１のＰＤＳＣＨが前記第２のＰＤＳＣＨと、時間リソースにおいて少なくとも部分的に重なる。
【００１７】
レシーバーは、前記プロセッサの確定した前記優先順位関係に基づいて、前記ターゲット搬送波において前記第１のＰＤＳＣＨ又は前記第２のＰＤＳＣＨを受信するようにさらに構成される。
【００１８】
当該端末デバイスは、上記の第１の様態及び各実施形態におけるデータ伝送のための方法の端末デバイスによって実施される各過程を実施するように構成されることが可能である。
【００１９】
第４の様態において、データ伝送方法を提供し、
ネットワークデバイスは、第１のダウンリンク制御情報（ＤＣＩ）と第２のＤＣＩとを送信することと、
前記ネットワークデバイスは、前記端末デバイスからのフィードバック情報を受信することと、
を含み、ここで、前記第１のＤＣＩが、ターゲット搬送波において、第１の伝送時間間隔（ＴＴＩ）を使用して伝送する第１の物理ダウンリンク共有チャネル（ＰＤＳＣＨ）を受信するように、端末デバイスをスケジューリングするために用いられ、第２のＤＣＩが、前記ターゲット搬送波において、第２のＴＴＩを使用して伝送する第２のＰＤＳＣＨを受信するように、前記端末デバイスをスケジューリングするために用いられ、前記第１のＴＴＩが前記第２のＴＴＩより小さく、前記第１のＰＤＳＣＨが前記第２のＰＤＳＣＨと、時間リソースにおいて少なくとも部分的に重なる。
【００２０】
ここで、前記フィードバック情報は、前記端末デバイスの受信したＰＤＳＣＨに対応する肯定／否定応答（ＡＣＫ／ＮＡＣＫ）情報を含み、又は、
前記フィードバック情報は、前記端末デバイスの受信したＰＤＳＣＨに対応するＡＣＫ／ＮＡＣＫ情報、及び前記端末デバイスの受信できていないＰＤＳＣＨに対応するＮＡＣＫ情報を含む。
【００２１】
ここで、前記受信したＰＤＳＣＨが前記第１のＰＤＳＣＨである場合、前記受信できていないＰＤＳＣＨが前記第２のＰＤＳＣＨであり、前記受信したＰＤＳＣＨが前記第２のＰＤＳＣＨである場合、前記受信できていないＰＤＳＣＨが前記第１のＰＤＳＣＨである。
【００２２】
第４の様態を結合し、一つの可能な実施形態において、前記ネットワークデバイスは、前記第１のＤＣＩと前記第２のＤＣＩとの無線ネットワーク一時識別子（ＲＮＴＩ）の優先順位に基づいて、前記第１のＤＣＩと前記第２のＤＣＩとの優先順位関係を確定することと、
前記ネットワークデバイスは、前記優先順位関係に基づいて、前記受信したＰＤＳＣＨが前記第１のＰＤＳＣＨ又は前記第２のＰＤＳＣＨであることを確定することと、
をさらに含む。
【００２３】
第５の様態において、ネットワークデバイスを提供し、
第１のダウンリンク制御情報（ＤＣＩ）と第２のＤＣＩとを送信するように構成される送信ユニットと、
前記端末デバイスからのフィードバック情報を受信するように構成される受信ユニットと、
を含み、ここで、前記第１のＤＣＩが、ターゲット搬送波において、第１の伝送時間間隔（ＴＴＩ）を使用して伝送する第１の物理ダウンリンク共有チャネル（ＰＤＳＣＨ）を受信するように、端末デバイスをスケジューリングするために用いられ、第２のＤＣＩが、前記ターゲット搬送波において、第２のＴＴＩを使用して伝送する第２のＰＤＳＣＨを受信するように、前記端末デバイスをスケジューリングするために用いられ、前記第１のＴＴＩが前記第２のＴＴＩより小さく、前記第１のＰＤＳＣＨが前記第２のＰＤＳＣＨと、時間リソースにおいて少なくとも部分的に重なる。
【００２４】
当該端末デバイスは、上記の第４の様態及び各実施形態におけるデータ伝送のための方法のネットワークデバイスによって実施される各過程を実施するように構成されることが可能である。
【００２５】
第６の様態において、ネットワークデバイスを提供し、
第１のダウンリンク制御情報（ＤＣＩ）と第２のＤＣＩとを送信するように構成されるトランスミッターと、
前記端末デバイスからのフィードバック情報を受信するように構成されるレシーバーと、
を含み、ここで、前記第１のＤＣＩが、ターゲット搬送波において、第１の伝送時間間隔（ＴＴＩ）を使用して伝送する第１の物理ダウンリンク共有チャネル（ＰＤＳＣＨ）を受信するように、端末デバイスをスケジューリングするために用いられ、第２のＤＣＩが、前記ターゲット搬送波において、第２のＴＴＩを使用して伝送する第２のＰＤＳＣＨを受信するように、前記端末デバイスをスケジューリングするために用いられ、前記第１のＴＴＩが前記第２のＴＴＩより小さく、前記第１のＰＤＳＣＨが前記第２のＰＤＳＣＨと、時間リソースにおいて少なくとも部分的に重なる。
【００２６】
当該端末デバイスは、上記の第４の様態及び各実施形態におけるデータ伝送のための方法のネットワークデバイスによって実施される各過程を実施するように構成されることが可能である。
【００２７】
第７の様態において、コンピュータチップを提供し、入力インターフェース、出力インターフェース、少なくとも一つのプロセッサ、記憶装置を含み、前記プロセッサが、前記記憶装置内のコードを実行するように構成され、前記コードが実行された場合、前記プロセッサが、上記の第１の様態及び各実施形態におけるデータ伝送のための方法の端末デバイスによって実施される各過程を実現することが可能である。
【００２８】
第８の様態において、コンピュータチップを提供し、入力インターフェース、出力インターフェース、少なくとも一つのプロセッサ、記憶装置を含み、前記プロセッサが、前記記憶装置内のコードを実行するように構成され、前記コードが実行された場合、前記プロセッサが、上記の第４の様態及び各実施形態におけるデータ伝送のための方法の端末デバイスによって実施される各過程を実現することが可能である。
【００２９】
第９の様態において、コンピュータ読み取り可能な記憶媒体を提供し、前記コンピュータ読み取り可能な記憶媒体にプログラムが記憶されており、前記プログラムは、端末デバイスに、上記の第１の様態、及びそれの各実施形態内のいずれか一つデータ伝送のための方法を実行させる。
【００３０】
第１０の様態において、コンピュータ読み取り可能な記憶媒体を提供し、前記コンピュータ読み取り可能な記憶媒体にプログラムが記憶されており、前記プログラムは、端末デバイスに、上記の第４の様態、及びそれの各実施形態内のいずれか一つデータ伝送のための方法を実行させる。
【図面の簡単な説明】
【００３１】
【図１】本発明の実施例における一つの適用場面の概略図である。
【図２】本発明の実施例におけるデータ伝送方法の一つの概略的フローチャートである。
【図３】（ａ）と（ｂ）が本発明の実施例における第１のＰＤＳＣＨと第２のＰＤＳＣＨとの関係の一つの概略図である。
【図４】（ａ）と（ｂ）が本発明の実施例における第１のＰＤＳＣＨ受信の一つの概略図である。
【図５】（ａ）と（ｂ）が本発明の実施例における第２のＰＤＳＣＨ受信の一つの概略図である。
【図６】（ａ）と（ｂ）が本発明の実施例における基地局へのフィードバックの第１の概略図である。
【図７】本発明の実施例におけるデータ伝送方法の別の一つの概略的フローチャートである。
【図８】本発明の一つの実施例における端末デバイスの構成図である。
【図９】本発明の一つの実施例における端末デバイスの別の構成図である。
【図１０】本発明の一つの実施例におけるシステムチップの概略的な構成図である。
【図１１】本発明の実施例におけるデータ伝送方法の別の一つの概略的フローチャートである。
【図１２】本発明の一つの実施例におけるネットワークデバイスの構成図である。
【図１３】本発明の一つの実施例におけるネットワークデバイスの別の構成図である。
【図１４】本発明の一つの実施例におけるシステムチップの別の概略的な構成図である。
【発明を実施するための形態】
【００３２】
より明確に本発明の実施例を説明するために、上記において、実施例または先行技術の説明で必要となる図面を簡単に説明し、明らかに、上記に記載されている図面は、単なる本発明の幾つかの実施例に過ぎず、当業者にとって、創造的な労力を払わない前提で、これらの図面に基づいてその他の図面が得ることができる。
【００３３】
下記において、本発明の実施例の図面を結合し、本発明の実施例の技術案を明確的、全面的に説明し、当然、説明されている実施例は、本発明の一部の実施例に過ぎず、全ての実施例ではない。本発明の実施例に基づいて、当業者は、創造的な労力を払わずに得られた全てのその他の実施例は、本発明の範囲内である。
【００３４】
図１は、本発明の一つの適用場面の概略図である。図１において、端末デバイス２０は、基地局１０と通信することができる。また、図１内の矢印は、端末デバイス２０と基地局１０との間のセルラーリンクを介して行うアップ／ダウンリンク伝送を示している。
【００３５】
理解すべきこととして、本発明の実施例における技術案は、様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａｌ  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）等に適用されることができる。
【００３６】
なお、本発明の実施例において、基地局は、ＧＳＭシステム又はＣＤＭＡにおける基地局（ＢＴＳ：Ｂａｓｅ  Ｔｒａｎｓｃｅｉｖｅｒ  Ｓｔａｔｉｏｎ）であっても良く、ＷＣＤＭＡシステムにおける基地局（ＮｏｄｅＢ）であっても良く、ＬＴＥシステムにおける進化型基地局（Ｅｖｏｌｕｔｉｏｎａｌ  Ｎｏｄｅ  Ｂ、「ｅＮＢ」又は「ｅＮｏｄｅＢ」）であっても良く、又は将来の５Ｇネットワークにおける基地局デバイス等であっても良く、本発明はこれに対して限定しない。基地局は、ネットワークデバイス、ネットワーク側装置等を称されても良い。
【００３７】
なお、本発明の実施例において、端末デバイスは、無線アクセスネットワーク（ＲＡＮ：Ｒａｄｉｏ  Ａｃｃｅｓｓ  Ｎｅｔｗｏｒｋ）を介して一つ又は複数のコアネットワーク（Ｃｏｒｅ  Ｎｅｔｗｏｒｋ）と通信することが可能であり、端末デバイスは、アクセス端末、ユーザ装置（ＵＥ：Ｕｓｅｒ  Ｅｑｕｉｐｍｅｎｔ）、ユーザユニット、ユーザステーション、移動ステーション、移動局、遠隔局、遠隔端末、移動デバイス、ユーザ端末、端末、無線通信デバイス、ユーザエージェント又はユーザ装置なども称することが可能である。端末デバイスは、セルラー電話、無線電話、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレス・ローカル・ループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を有する携帯デバイス、計算デバイス又は無線変調復調器に接続するその他のデバイス、車載デバイス、ウェアラブルデバイス、および将来の５Ｇネットワークにおける端末デバイス等であっても良い。
【００３８】
ＴＴＩを短縮するのは、伝送遅延を減らすためのキーとなる技術であり、現在、ＬＴＥ−Ａ  Ｒｅｌ−１３において、より短いＴＴＩにおけるデータ伝送に関する研究を始めようとしているが、短いＴＴＩでの伝送をサポートする搬送波において、現行のＬＴＥシステムへの互換性を保証すると共に、１ｍｓのＴＴＩにも対応することができるように求められている。伝送遅延を保証すると同時にシステムの効率も考慮するために、この場合、異なるＴＴＩ長さを使用するように端末を動的にスケジューリングしても良く、即ち、短い遅延サービスを伝送する時に短いＴＴＩを使用し、その他のサービスを伝送する時に通常のＴＴＩを使用する。しかし、異なるＴＴＩを使用するように端末を動的にスケジューリングするのに、現在、明確な技術案が存在しない。本発明の実施例は、複数のＴＴＩにおけるデータ伝送方法を動的にサポートする技術案を考案する。
【００３９】
図２は、本発明の実施例におけるデータ伝送方法の一つの概略的フローチャートである。図２に示される方法は、Ｓ２０１〜Ｓ２０４を含む。
【００４０】
Ｓ２０１において、基地局１０は、端末デバイス２０に物理ダウンリンク制御チャネル（ＰＤＣＣＨ：Ｐｈｙｓｉｃａｌ  Ｄｏｗｎｌｉｎｋ  Ｃｏｎｔｒｏｌ  ＣＨａｎｎｅｌ）を送信する。
【００４１】
具体的に、基地局１０は、現行プロトコルに定めされた方式を採用してＰＤＣＣＨを送信することができる。ＰＤＣＣＨは、第１のダウンリンク制御情報（ＤＣＩ：Ｄｏｗｎｌｉｎｋ  Ｃｏｎｔｒｏｌ  Ｉｎｆｏｒｍａｔｉｏｎ）を含むことが可能であり、当該第１のＤＣＩは、ターゲット搬送波において、第１のＴＴＩを使用して伝送する第１の物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を受信するように端末デバイス２０をスケジューリングするために用いられる。
【００４２】
つまり、第１のＤＣＩは、伝送待ちの第１のＰＤＳＣＨに対するスケジューリングであり、伝送待ちの第１のＰＤＳＣＨがターゲット搬送波において伝送され、しかも伝送待ちの第１のＰＤＳＣＨが第１のＴＴＩを使用して伝送する。
【００４３】
選択肢として、ＰＤＣＣＨは第２のＤＣＩをさらに含み、当該第２のＤＣＩは、ターゲット搬送波において第２のＴＴＩを使用して伝送される第２のＰＤＳＣＨを受信するように端末デバイス２０をスケジューリングするために用いられる。
【００４４】
本発明の実施例において、第１のＰＤＳＣＨが第２のＰＤＳＣＨと時間リソースにおいて部分的に重なり、図３の（ａ）と（ｂ）に示すように、図３の水平方向が時間リソースを示している。また、図３（ａ）において、ＰＵＣＣＨは、第１のＤＣＩと第２のＤＣＩとを含む。図３（ｂ）において、ＰＵＣＣＨは第１のＤＣＩを含むが、第２のＤＣＩを含まない。
【００４５】
なお、第１のＴＴＩは第２のＴＴＩと等しくない。例えば、第１のＴＴＩが第２のＴＴＩより小さくても良く、又は、第２のＴＴＩが第１のＴＴＩより小さい。実施例として、本発明の後文の実施例においては、第１のＴＴＩが第２のＴＴＩより小さい例で説明する。
【００４６】
なお、Ｓ２０１において、端末デバイス２０は、基地局１０より送信された第１のＤＣＩと第２のＤＣＩとを受信する。具体的に、端末デバイス２０は、第１のＤＣＩと第２のＤＣＩとを同時に受信しても良く、又は、端末デバイス２０は、第１のＤＣＩを受信してから第２のＤＣＩを受信しても良く、又は、端末デバイス２０は、第２のＤＣＩを受信してから第１のＤＣＩを受信しても良く、本発明は、それに対して限定しない。
【００４７】
Ｓ２０２において、端末デバイス２０は、第１のＤＣＩと第２のＤＣＩとの優先順位関係を確定する。
【００４８】
端末デバイス２０は、第１のＤＣＩの優先順位が第２のＤＣＩの優先順位より高い、又は低いと確定しても良く、つまり、第１のＤＣＩが第２のＤＣＩと異なる優先順位を有する。端末デバイス２０は、第１のＤＣＩの優先順位が第２のＤＣＩの優先順位と等しいと確定しても良く、つまり、第１のＤＣＩが第２のＤＣＩと同じ優先順位を有する。
【００４９】
具体的に、Ｓ２０２において、端末デバイス２０は、第１のＤＣＩと第２のＤＣＩとの無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）の優先順位に基づいて、第１のＤＣＩと第２のＤＣＩとの優先順位関係を確定する。
【００５０】
選択肢として、本発明の実施例において、ＲＮＴＩの優先順位は、第１のＲＮＴＩ優先順位と第２のＲＮＴＩ優先順位とを含むことが可能である。ここで、第１のＲＮＴＩ優先順位は、システム情報ＲＮＴＩ（ＳＩ−ＲＮＴＩ：Ｓｙｓｔｅｍ  Ｉｎｆｏｒｍａｔｉｏｎ  ＲＮＴＩ）、ページングＲＮＴＩ（Ｐ−ＲＮＴＩ：Ｐａｇｉｎｇ  ＲＮＴＩ）、ランダムアクセスＲＮＴＩ（ＲＡ−ＲＮＴＩ：Ｒａｎｄｏｍ  Ａｃｃｅｓｓ  ＲＮＴＩ）、一時ＲＮＴＩ（Ｔｅｍｐｏｒａｒｙ  ＲＮＴＩ）のうちの一つを含むことができる。ここで、第２のＲＮＴＩ優先順位は、セルＲＮＴＩ（Ｃ−ＲＮＴＩ：Ｃｅｌｌ  ＲＮＴＩ）、準静的なスケジューリングＲＮＴＩ（ＳＰＳ−ＲＮＴＩ：Ｓｅｍｉ−Ｐｅｒｓｉｓｔｅｎｔ  Ｓｃｈｅｄｕｌｉｎｇ  ＲＮＴＩ）のうちの一つを含むことができる。
【００５１】
なお、本発明の実施例において、ＲＮＴＩの優先順位は、より細かく分類しても良く、例えば、第１のＲＮＴＩ優先順位、第２のＲＮＴＩ優先順位、及び第３のＲＮＴＩ優先順位を含む。本発明は、これに対して限定しない。
【００５２】
具体的に、Ｓ２０２において、端末デバイス２０は、第１のＤＣＩのＲＮＴＩと第２のＤＣＩのＲＮＴＩを取得し、第１のＤＣＩのＲＮＴＩの優先順位と第２のＤＣＩのＲＮＴＩの優先順位とを確定することができる。
【００５３】
このように、端末デバイス２０は、第１のＤＣＩのＲＮＴＩの優先順位と第２のＤＣＩのＲＮＴＩの優先順位とに基づいて、第１のＤＣＩの優先順位と第２のＤＣＩの優先順位とを確定することができる。具体的に、前記第１のＤＣＩのＲＮＴＩの優先順位が前記第１のＲＮＴＩ優先順位に属する場合、前記第１のＤＣＩの優先順位が第１の優先順位であることを確定し、前記第１のＤＣＩのＲＮＴＩの優先順位が前記第２のＲＮＴＩ優先順位に属する場合、前記第１のＤＣＩの優先順位が第２の優先順位であることを確定し、前記第２のＤＣＩのＲＮＴＩの優先順位が前記第１のＲＮＴＩ優先順位に属する場合、前記第２のＤＣＩの優先順位が第１の優先順位であることを確定し、前記第２のＤＣＩのＲＮＴＩの優先順位が前記第２のＲＮＴＩ優先順位に属する場合、前記第２のＤＣＩの優先順位が第２の優先順位であることを確定する。
【００５４】
Ｓ２０３において、端末デバイス２０は、優先順位関係に基づいて第１のＰＤＳＣＨ又は第２のＰＤＳＣＨを受信する。
【００５５】
具体的に、第１のＤＣＩの優先順位が第２のＤＣＩの優先順位より高い場合、端末デバイス２０は、ターゲット搬送波において第１のＰＤＳＣＨを受信する。第１のＤＣＩの優先順位が第２のＤＣＩの優先順位より低い場合、端末デバイス２０は、ターゲット搬送波において第２のＰＤＳＣＨを受信する。
【００５６】
第１のＤＣＩが第２のＤＣＩと同じ優先順位を有する場合、端末デバイス２０は、小さいＴＴＩに対応するＰＤＳＣＨを受信する。例を挙げて説明すると、第１のＤＣＩが第２のＤＣＩと同じ優先順位を有し、且つ第１のＴＴＩが第２のＴＴＩより小さい場合、端末デバイス２０は、ターゲット搬送波において第１のＰＤＳＣＨを受信する。第１のＤＣＩが第２のＤＣＩと同じ優先順位を有し、且つ第１のＴＴＩが第２のＴＴＩより大きい場合、端末デバイス２０は、ターゲット搬送波において第２のＰＤＳＣＨを受信する。
【００５７】
つまり、前記第１のＤＣＩの優先順位が第１の優先順位であり、前記第２のＤＣＩの優先順位が第２の優先順位である場合、前記ターゲット搬送波において前記第１のＰＤＳＣＨを受信する。図４の（ａ）と（ｂ）に示すように、図４内の「×」は第２のＰＤＳＣＨを受信しないことを意味する。前記第１のＤＣＩの優先順位が第２の優先順位であり、前記第２のＤＣＩの優先順位が第１の優先順位である場合、前記ターゲット搬送波において前記第２のＰＤＳＣＨを受信する。
【００５８】
前記第１のＤＣＩの優先順位が第１の優先順位であり、且つ前記第２のＤＣＩの優先順位が第１の優先順位である場合、又は、前記第１のＤＣＩの優先順位が第２の優先順位であり、且つ前記第２のＤＣＩの優先順位が第２の優先順位であり、且つ第１のＴＴＩが第２のＴＴＩより小さい場合、前記ターゲット搬送波において前記第１のＰＤＳＣＨを受信する。
【００５９】
前記第１のＤＣＩの優先順位が第１の優先順位であり、且つ前記第２のＤＣＩの優先順位が第１の優先順位である場合、又は、前記第１のＤＣＩの優先順位が第２の優先順位であり、且つ前記第２のＤＣＩの優先順位が第２の優先順位であり、且つ第１のＴＴＩが第２のＴＴＩより大きい場合、前記ターゲット搬送波において前記第２のＰＤＳＣＨを受信する。図５の（ａ）と（ｂ）に示すように、第１のＤＣＩと第２のＤＣＩとは両方とも第２の優先順位を有し、しかも第１のＴＴＩが第２のＴＴＩより大きく、図５内の「×」は第１のＰＤＳＣＨを受信しないことを意味する。
【００６０】
なお、Ｓ２０３において、端末デバイス２０が第１のＰＤＳＣＨを受信することは、端末デバイス２０が第１のＰＤＳＣＨを復調すると理解しても良く、同様に、端末デバイス２０が第２のＰＤＳＣＨを受信することは、端末デバイス２０が第２のＰＤＳＣＨを復調すると理解しても良い。
【００６１】
別の一つの実施例として、図３（ｂ）に示されるような場面において、端末デバイス２０は、まず、ＰＤＣＣＨにおいて第１のＤＣＩを受信し、しかも、端末デバイス２０は第１のＤＣＩを受信する時に、その他のＤＣＩが検出されない場合、端末デバイス２０は、第１のＤＣＩを受信した後に、第１のＰＤＳＣＨをすぐに復調する。端末デバイス２０が第１のＰＤＳＣＨを復調している中で第２のＤＣＩも受信した場合、端末デバイス２０はＳ２０２を再度に実行してもよく、端末デバイス２０が第１のＤＣＩの優先順位が第２のＤＣＩの優先順位より高いと確定した場合（例えば、第１のＤＣＩの優先順位が第１の優先順位であり、第２のＤＣＩの優先順位が第２の優先順位であり、又は、第１のＤＣＩが第２のＤＣＩと同じ優先順位を有しながら、第１のＴＴＩが第２のＴＴＩより小さい）、端末デバイス２０は、第１のＰＤＳＣＨを継続して復調する。端末デバイス２０が、第１のＤＣＩの優先順位が第２のＤＣＩの優先順位より低い（例えば、第１のＤＣＩの優先順位が第２の優先順位であり、第２のＤＣＩの優先順位が第１の優先順位であり、又は、第１のＤＣＩが第２のＤＣＩと同じ優先順位を有しながら、第１のＴＴＩが第２のＴＴＩより大きい）場合、端末デバイス２０は、第１のＰＤＳＣＨに対する復調を停止し、第２のＰＤＳＣＨに対する復調を開始する。
【００６２】
さらに、Ｓ２０３の後にＳ２０４を含むことができる。
【００６３】
Ｓ２０４において、端末デバイス２０は、基地局１０にフィードバック情報を送信する。
【００６４】
具体的に、端末デバイス２０は、アップリンクサブフレームにおいて基地局に肯定応答（ＡＣＫ：Ａｃｋｎｏｗｌｅｄｇｅｍｅｎｔ）又は否定応答（ＮＡＣＫ：Ｎｅｇａｔｉｖｅ  ＡＣＫｎｏｗｌｅｄｇｅｍｅｎｔ）情報をフィードバックすることができる。具体的に、端末デバイス２０は、アップリンク物理制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）又は物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）にＡＣＫ／ＮＡＣＫを含ませることができる。
【００６５】
例を挙げて説明すると、Ｓ２０３において、端末デバイス２０が第２のＰＤＳＣＨを受信する場合、Ｓ２０３の後に、端末デバイス２０は、第２のＰＤＳＣＨの受信が成功か否かに基づいて、基地局に第２のＰＤＳＣＨに対するＡＣＫ又はＮＡＣＫメッセージをフィードバックすることができる。同時に、端末デバイス２０は、基地局に第１のＰＤＳＣＨに対するＮＡＣＫメッセージをフィードバックすることができ、又は、端末デバイス２０は、基地局に第１のＰＤＳＣＨに対するメッセージをフィードバックしない。つまり、端末デバイス２０から基地局１０へのフィードバックは、第２のＰＤＳＣＨに対するＡＣＫ／ＮＡＣＫのみを含むことが可能である。又は、端末デバイス２０から基地局１０へのフィードバックは、第２のＰＤＳＣＨに対するＡＣＫ／ＮＡＣＫを含むと共に、第１のＰＤＳＣＨに対するＮＡＣＫも含む。
【００６６】
例を挙げて説明すると、Ｓ２０３において、端末デバイス２０が第１のＰＤＳＣＨを受信する場合、Ｓ２０３の後に、端末デバイス２０は、第１のＰＤＳＣＨの受信が成功か否かに基づいて、基地局に第１のＰＤＳＣＨに対するＡＣＫ又はＮＡＣＫメッセージをフィードバックすることができる。同時に、端末デバイス２０は、基地局に第２のＰＤＳＣＨに対するＮＡＣＫメッセージをフィードバックすることができ、又は、端末デバイス２０は、基地局に第２のＰＤＳＣＨに対するメッセージをフィードバックしない。つまり、端末デバイス２０から基地局１０へのフィードバックは、第１のＰＤＳＣＨに対するＡＣＫ／ＮＡＣＫのみを含むことができ、又は、端末デバイス２０から基地局１０へのフィードバックは、第１のＰＤＳＣＨに対するＡＣＫ／ＮＡＣＫが含むと共に、第２のＰＤＳＣＨに対するＮＡＣＫに含むことが可能である。上記の図４（ａ）に示される場合において、図６に示すように、端末デバイス２０のアップリンクサブフレームにおけるフィードバックメッセージの概略図である。図６の（ａ）において、端末デバイス２０は、基地局に第１のＰＤＳＣＨに対するＡＣＫ又はＮＡＣＫメッセージをフィードバックするが、基地局に第２のＰＤＳＣＨに対するメッセージをフィードバックしない。図６の（ｂ）において、端末デバイス２０は、基地局１０に第１のＰＤＳＣＨに対するＡＣＫ又はＮＡＣＫメッセージをフィードバックすると共に、基地局１０に第２のＰＤＳＣＨに対するＮＡＣＫメッセージをフィードバックする。
【００６７】
基地局１０については、基地局１０は、送信した第１のＤＣＩと第２のＤＣＩのＲＮＴＩとの優先順位に基づいて、第１のＤＣＩと第２のＤＣＩとの優先順位関係を確定することができ、前記優先順位関係に基づいて、端末デバイス２０の受信したＰＤＳＣＨが前記第１のＰＤＳＣＨであるか、それとも前記第２のＰＤＳＣＨであるかを確定する。つまり、基地局１０は、送信した第１のＤＣＩと第２のＤＣＩとの優先順位関係に基づいて、端末デバイス２０の受信したのがどれのＰＤＳＣＨを確定することができ、それによって基地局１０は、受信したフィードバック情報がどれのＰＤＳＣＨに対するものであるかを確定することができる。ここで、基地局１０は、第１のＤＣＩと第２のＤＣＩとの優先順位関係を確定する方法は、上記の端末デバイス２０の当該優先順位関係の確定方法と同様であり、ここで省略する。
【００６８】
なお、当該ＤＣＩのＲＮＴＩの優先順位は、標準に予め定められたものであっても良く、ＲＮＴＩの優先順位は、端末デバイスとネットワークデバイスとに予め記憶されることが可能である。
【００６９】
以上から分かるように、本発明の実施例に提供される方法は、同一の搬送波において複数のＴＴＩを動的にサポートしてデータ伝送を行うことができ、端末デバイスは、一つのサブフレームにおける伝送チャネルの優先順位を確定することができ、当該方法は、遅延に関する要求を満たすのみならず、現行システムへの互換性も考慮できる。
【００７０】
図７は、本発明の実施例におけるデータ伝送方法の別の一つの概略的フローチャートである。図７に示される方法は、端末デバイスによって実施され、当該方法はＳ７０１〜Ｓ７０３を含む。
【００７１】
Ｓ７０１において、端末デバイスは、第１のＤＣＩと第２のＤＣＩとを受信する。ここで、前記第１のＤＣＩは、ターゲット搬送波において第１のＴＴＩを使用して伝送された第１のＰＤＳＣＨを受信するように、前記端末デバイスをスケジューリングするように用いられ、第２のＤＣＩが、前記ターゲット搬送波において、第２のＴＴＩを使用して伝送する第２のＰＤＳＣＨを受信するように、前記端末デバイスをスケジューリングするために用いられ、前記第１のＴＴＩが前記第２のＴＴＩより小さく、前記第１のＰＤＳＣＨが前記第２のＰＤＳＣＨと、時間リソースにおいて少なくとも部分的に重なる。
【００７２】
Ｓ７０２において、端末デバイスは、前記第１のＤＣＩと前記第２のＤＣIとの優先順位関係を確定する。
【００７３】
Ｓ７０３において、端末デバイスは、前記優先順位関係に基づいて、前記ターゲット搬送波において前記第１のＰＤＳＣＨ又は前記第２のＰＤＳＣＨを受信する。
【００７４】
ここで、図７のステップＳ７０１は、上記の図２のＳ２０１に関する記載を参照することができ、図７のステップＳ７０２は上記の図２のＳ２０２に関する記載を参照することができ、図７のステップＳ７０３は、上記の図２のＳ２０３に関する記載を参照することができ、重複を避けるために、ここで省略する。
【００７５】
選択肢として、Ｓ７０３の後に、端末デバイスはフィードバックを送信することをさらに含む。当該フィードバックは、受信したＰＤＳＣＨに対するＡＣＫ／ＮＡＣＫのみを含むことが可能である。又は、当該フィードバックは、受信したＰＤＳＣＨに対するＡＣＫ／ＮＡＣＫを含みながら、受信できていないＰＤＳＣＨに対するＮＡＣＫも含むことが可能である。ここで、受信したＰＤＳＣＨが第１のＰＤＳＣＨである場合、受信できていないＰＤＳＣＨは第２のＰＤＳＣＨである。受信したＰＤＳＣＨが第２のＰＤＳＣＨである場合、受信できていないＰＤＳＣＨが第１のＰＤＳＣＨである。
【００７６】
図８は、本発明の一つの実施例における端末デバイスの構成図である。図８に示される端末デバイス８０は、受信ユニット８０１、確定ユニット８０２、及び送信ユニット８０３を含む。
【００７７】
受信ユニット８０１は、接第１のＤＣＩと第２のＤＣＩとを受信するように構成され、ここで、前記第１のＤＣＩは、ターゲット搬送波において第１のＴＴＩを使用して伝送される第１のＰＤＳＣＨを受信するように、前記端末デバイスをスケジューリングするために用いられ、第２のＤＣＩが、前記ターゲット搬送波において、第２のＴＴＩを使用して伝送する第２のＰＤＳＣＨを受信するように、前記端末デバイスをスケジューリングするために用いられ、前記第１のＴＴＩが前記第２のＴＴＩより小さく、前記第１のＰＤＳＣＨが前記第２のＰＤＳＣＨと、時間リソースにおいて少なくとも部分的に重なる。
【００７８】
確定ユニット８０２は、受信ユニット８０１の受信した前記第１のＤＣＩと前記第２のＤＣＩとの優先順位関係を確定するように構成される。
【００７９】
受信ユニット８０１は、確定ユニット８０１の確定した前記優先順位関係に基づいて、前記ターゲット搬送波において前記第１のＰＤＳＣＨ又は前記第２のＰＤＳＣＨを受信するようにさらに構成される。
【００８０】
ここで、確定ユニット８０２は、具体的に、前記第１のＤＣＩと前記第２とのＤＣＩのＲＮＴＩの優先順位に基づいて、前記第１のＤＣＩと前記第２のＤＣＩとの優先順位関係を確定するように構成される。前記ＲＮＴＩの優先順位は、第１のＲＮＴＩ優先順位と第２のＲＮＴＩ優先順位とを含み、前記第１のＲＮＴＩ優先順位は、システム情報ＲＮＴＩ、ページングＲＮＴＩ、ランダムアクセスＲＮＴＩ、一時ＲＮＴＩのうちのいずれか一つ又は複数を含み、前記第２のＲＮＴＩ優先順位は、セルＲＮＴＩ、準静的なスケジューリングＲＮＴＩのうちのいずれか一つ又は複数を含む。
【００８１】
選択肢として、確定ユニット８０２は、具体的に、
前記第１のＤＣＩのＲＮＴＩの優先順位が前記第１のＲＮＴＩ優先順位に属する場合、前記第１のＤＣＩの優先順位が第１の優先順位であることを確定し、
前記第１のＤＣＩのＲＮＴＩの優先順位が前記第２のＲＮＴＩ優先順位に属する場合、前記第１のＤＣＩの優先順位が第２の優先順位であることを確定し、
前記第２のＤＣＩのＲＮＴＩの優先順位が前記第１のＲＮＴＩ優先順位に属する場合、前記第２のＤＣＩの優先順位が第１の優先順位であることを確定し、
前記第２のＤＣＩのＲＮＴＩの優先順位が前記第２のＲＮＴＩ優先順位に属する場合、前記第２のＤＣＩの優先順位が第２の優先順位であることを確定するように構成される。
【００８２】
それに応じて、受信ユニット８０１は、具体的に、前記第１のＤＣＩの優先順位が第１の優先順位であり、前記第２のＤＣＩの優先順位が第２の優先順位である場合、前記ターゲット搬送波において前記第１のＰＤＳＣＨを受信するように構成され、前記第１のＤＣＩの優先順位が第２の優先順位であり、前記第２のＤＣＩの優先順位が第１の優先順位である場合、前記ターゲット搬送波において前記第２のＰＤＳＣＨを受信するように構成される。前記第１のＤＣＩの優先順位が第１の優先順位であり、且つ前記第２のＤＣＩの優先順位が第１の優先順位である場合、又は、前記第１のＤＣＩの優先順位が第２の優先順位であり、且つ前記第２のＤＣＩの優先順位が第２の優先順位である場合、前記ターゲット搬送波において前記第１のＰＤＳＣＨを受信する。
【００８３】
選択肢として、送信ユニット８０３は、フィードバックを送信するように構成される。当該フィードバックは、受信したＰＤＳＣＨに対するＡＣＫ／ＮＡＣＫのみを含むことが可能である。又は、当該フィードバックは、受信したＰＤＳＣＨに対するＡＣＫ／ＮＡＣＫを含みながら、受信できていないＰＤＳＣＨに対するＮＡＣＫも含むことが可能である。ここで、受信したＰＤＳＣＨが第１のＰＤＳＣＨである場合、受信できていないＰＤＳＣＨは第２のＰＤＳＣＨである。受信したＰＤＳＣＨが第２のＰＤＳＣＨである場合、受信できていないＰＤＳＣＨは第１のＰＤＳＣＨである。
【００８４】
なお、本発明の実施例において、受信ユニット８０１は、レシーバーによって実現されても良く、確定ユニット８０２はプロセッサによって実現されても良く、送信ユニット８０３はトランスミッターによって実現されても良い。図９に示すように、端末デバイス９０はプロセッサ９０１、レシーバー９０２、トランスミッター９０３、及び記憶装置９０４を含むことが可能である。ここで、記憶装置９０４は、優先順位情報等を記憶するように構成され、プロセッサ９０１で実行するコード等を記憶するようにさらに構成される。
【００８５】
端末デバイス９０の各コンポーネントはバスシステム９０５によってカップリンブされており、ここでバスシステム９０５は、データバス以外に、電源バス、制御バス及び状態信号バスを含む。
【００８６】
図１０は、本発明の実施例におけるシステムチップの一つの概略的な構成図である。図１０のシステムチップ１００は、入力インターフェース１０１０、出力インターフェース１０２０、少なくとも一つのプロセッサ１０３０、記憶装置１０４０を含み、前記入力インターフェース１０１０、出力インターフェース１０２０、前記プロセッサ１０３０、及び記憶装置１０４０は、バス１０５０によって接続され、前記プロセッサ１０３０は、前記記憶装置１０４０内のコードを実行するように構成され、前記コードが実行される時に、前記プロセッサ１０３０は図２〜図７の端末デバイスによって実施する方法を実現する。
【００８７】
図８に示される端末デバイス８０又は図９に示される端末デバイス９０又は図１０に示されるシステムチップ１００は、上記の図２〜図７の方法実施例における端末デバイスによって実現される各フローを実現することができ、重複を避けるために、ここで省略する。
【００８８】
図１１は、本発明の実施例におけるデータ伝送方法の別の一つの概略的フローチャートである。図１１の前記方法はＳ１１０１〜Ｓ１１０２を含む。
【００８９】
Ｓ１１０１において、ネットワークデバイスは第１のＤＣＩと第２のＤＣＩとを送信する。ここで、前記第１のＤＣＩは、ターゲット搬送波において第１のＴＴＩを使用してい伝送される第１のＰＤＳＣＨを受信するように、端末デバイスをスケジューリングするために用いられ、第２のＤＣＩが、前記ターゲット搬送波において、第２のＴＴＩを使用して伝送する第２のＰＤＳＣＨを受信するように、前記端末デバイスをスケジューリングするために用いられ、前記第１のＴＴＩが前記第２のＴＴＩより小さく、前記第１のＰＤＳＣＨが前記第２のＰＤＳＣＨと、時間リソースにおいて少なくとも部分的に重なる。
【００９０】
Ｓ１１０２において、ネットワークデバイスは、前記端末デバイスからのフィードバック情報を受信する。
【００９１】
ここで、図１１のＳ１１０１は上記の図２の方法実施例のＳ２０１の記載を参照することができ、図１１のＳ１１０２は上記の図２の方法実施例のＳ２０４の記載を参照することができ、重複を避けるために、ここで省略する。
【００９２】
前記フィードバック情報は、前記端末デバイスの受信したＰＤＳＣＨに対応するＡＣＫ／ＮＡＣＫ情報を含むことが可能であり、又は、前記フィードバック情報は、前記端末デバイスの受信したＰＤＳＣＨに対応するＡＣＫ／ＮＡＣＫ情報、及び前記端末デバイスの受信できていないＰＤＳＣＨに対応するＮＡＣＫ情報を含む。ここで、前記受信したＰＤＳＣＨが前記第１のＰＤＳＣＨである場合、前記受信できていないＰＤＳＣＨが前記第２のＰＤＳＣＨであり、前記受信したＰＤＳＣＨが前記第２のＰＤＳＣＨである場合、前記受信できていないＰＤＳＣＨが前記第１のＰＤＳＣＨである。
【００９３】
選択肢として、図１１に示される方法は、前記第１のＤＣＩと前記第２のＤＣＩとの無線ネットワーク一時識別子（ＲＮＴＩ）の優先順位に基づいて、前記第１のＤＣＩと前記第２のＤＣＩとの優先順位関係を確定することと、前記優先順位関係に基づいて、前記受信したＰＤＳＣＨが前記第１のＰＤＳＣＨ又は前記第２のＰＤＳＣＨであることを確定すること、をさらに含むことが可能である。
【００９４】
ここで、前記第１のＤＣＩの優先順位が第１の優先順位であり、前記第２のＤＣＩの優先順位が第２の優先順位である場合、前記受信したＰＤＳＣＨが前記第１のＰＤＳＣＨである時に、前記受信できていないＰＤＳＣＨが前記第２のＰＤＳＣＨである。前記第１のＤＣＩの優先順位が第２の優先順位であり、前記第２のＤＣＩの優先順位が第１の優先順位である場合、前記受信したＰＤＳＣＨが前記第２のＰＤＳＣＨである場合、前記受信できていないＰＤＳＣＨが前記第１のＰＤＳＣＨである。前記第１のＤＣＩの優先順位が第１の優先順位であり、且つ前記第２のＤＣＩの優先順位が第１の優先順位である場合、又は、前記第１のＤＣＩの優先順位が第２の優先順位であり、且つ前記第２のＤＣＩの優先順位が第２の優先順位である場合、前記第１のＴＴＩが前記第２のＴＴＩより小さいため、前記受信したＰＤＳＣＨが前記第１のＰＤＳＣＨである場合、前記受信できていないＰＤＳＣＨが前記第２のＰＤＳＣＨである。つまり、ネットワークデバイスは、第１のＤＣＩと第２のＤＣＩとの優先順位関係に基づいて、受信したフィードバック情報がどれのＰＤＳＣＨに対するものであるかを確定することができる。
【００９５】
具体的に、ネットワークデバイスは、第１のＤＣＩのＲＮＴＩ、及び第２のＤＣＩのＲＮＴＩを予め記憶することができ、ＲＮＴＩの優先順位に基づいて、第１のＤＣＩと第２のＤＣＩとの優先順位関係を確定することができる。
【００９６】
ここで、前記ＲＮＴＩの優先順位は、第１のＲＮＴＩ優先順位と第２のＲＮＴＩ優先順位とを含む。前記第１のＲＮＴＩ優先順位は、システム情報ＲＮＴＩ、ページングＲＮＴＩ、ランダムアクセスＲＮＴＩ、一時ＲＮＴＩのうちの少なくとも一つを含む。前記第２のＲＮＴＩ優先順位は、セルＲＮＴＩ、準静的なスケジューリングＲＮＴＩのうちの少なくとも一つを含む。
【００９７】
このように、ネットワークデバイスは、端末デバイスが受信したのがどれのＴＴＩを使用して伝送されたＰＤＳＣＨを把握することできる。
【００９８】
図１２は、本発明の一つの実施例におけるネットワークデバイスの構成図である。図１２に示されるネットワークデバイス１２０は、送信ユニット１２０１と受信ユニット１２０２とを含む。
【００９９】
送信ユニット１２０１は、第１のＤＣＩと第２のＤＣＩとを送信するように構成され、ここで、前記第１のＤＣＩは、ターゲット搬送波において第１のＴＴＩを使用して伝送される第１のＰＤＳＣＨを受信するように、端末デバイスをスケジューリングするために用いられ、第２のＤＣＩが、前記ターゲット搬送波において、第２のＴＴＩを使用して伝送する第２のＰＤＳＣＨを受信するように、前記端末デバイスをスケジューリングするために用いられ、前記第１のＴＴＩが前記第２のＴＴＩより小さく、前記第１のＰＤＳＣＨが前記第２のＰＤＳＣＨと、時間リソースにおいて少なくとも部分的に重なる。受信ユニット１２０２は、前記端末デバイスからのフィードバック情報を受信するように構成される。
【０１００】
選択肢として、ネットワークデバイス１２０は、前記第１のＤＣＩと前記第２のＤＣＩとの無線ネットワーク一時識別子（ＲＮＴＩ）の優先順位に基づいて、前記第１のＤＣＩと前記第２のＤＣＩとの優先順位関係を確定し、前記優先順位関係に基づいて、前記受信したＰＤＳＣＨが前記第１のＰＤＳＣＨ又は前記第２のＰＤＳＣＨであることを確定するように構成される処理ユニットをさらに含む。
【０１０１】
なお、本発明の実施例において、受信ユニット１２０２は、レシーバーによって実現されても良く、送信ユニット１２０１は、トランスミッターによって実現されても良く、処理ユニットはプロセッサによって実現されても良い。図１３に示すように、ネットワークデバイス１３０は、プロセッサ１３０１、レシーバー１３０２、トランスミッター１３０３、及び記憶装置１３０４を含むことができる。ここで、記憶装置１３０４は、記憶プロセッサ１３０１で実行するコード等を記憶するように構成される。プロセッサ１３０１は、記憶装置１３０４に記憶されるコードを実行するように構成される。例えば、第１のＤＣＩと第２のＤＣＩとを生成するように構成されても良く、フィードバック情報に基づいて、後続の動作等を実行するように構成されても良い。
【０１０２】
ネットワークデバイス１３０の各コンポーネントはバスシステム１３０５によってカップリンブされており、ここでバスシステム１３０５は、データバス以外に、電源バス、制御バス及び状態信号バスを含む。
【０１０３】
図１４は、本発明の実施例におけるシステムチップの別の一つの概略的な構成図である。図１４のシステムチップ１４０は、入力インターフェース１４１０、出力インターフェース１４２０、少なくとも一つのプロセッサ１４３０、記憶装置１４４０を含み、前記入力インターフェース１４１０、出力インターフェース１４２０、前記プロセッサ１４３０及び記憶装置１４４０は、バス１４５０を介して接続され、前記プロセッサ１４３０は、前記記憶装置１４４０内のコードを実行するように構成され、前記コードが実行される時に、前記プロセッサ１４３０は、図２〜図７、図１１の基地局又は端末デバイスによって実行される方法を実現する。
【０１０４】
図１２に示されているネットワークデバイス１２０又は図１３に示されているネットワークデバイス１３０又は図１０に示されているシステムチップ１００は、上記の図２〜図７、図１１の方法実施例の基地局又は端末デバイスによって実現される各過程を実現することが可能であり、重複を避けるために、ここで省略する。
【０１０５】
なお、本発明の実施例におけるプロセッサは、集積回路チップであっても良く、信号処理能力を備えている。実現過程において、上記方法の実施例における各ステップは、プロセッサにおけるハードウェアの集積論理回路、又はソフトウェア形態の命令により完成されてもよい。上記のプロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであってもよい。本発明の実施例における開示された各方法、ステップ及び論理ブロック図を実現、又は実行することができる。汎用プロセッサはマイクロプロセッサであってもよく、又は該プロセッサはいずれかの通常のプロセッサなどであってもよい。本発明の実施例に開示された方法を結合するステップは、ハードウェア復号プロセッサによって実行して完成され、又は復号プロセッサにおけるハードウェアモジュール及びソフトウェアモジュールの組み合わせによって実行して完成されるように具現することができる。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完成する。
【０１０６】
本発明の実施例におけるメモリは揮発性記憶装置又は不揮発性記憶装置であってもよく、又は揮発性記憶装置及び不揮発性記憶装置の両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ）である。注意すべきこととして、本明細書に記載のシステムと方法のメモリは、これら、及びいずれかの他の適切なタイプのメモリを含むことを主旨しているが、これらに限定されない。
【０１０７】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１０８】
当業者は、説明の便利と簡潔上、上記に記載されているシステム、装置及びユニットの具体的な動作については、上記の方法実施例の対応されているフローを参照することができ、ここでそれ以上述べない。
【０１０９】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１１０】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１１１】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１１２】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１１３】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2020120393.tif 000003
【図２】
2020120393.tif 000004
【図３】
2020120393.tif 000005
【図４】
2020120393.tif 000006
【図５】
2020120393.tif 000007
【図６】
2020120393.tif 000008
【図７】
2020120393.tif 000009
【図８】
2020120393.tif 000010
【図９】
2020120393.tif 000011
【図１０】
2020120393.tif 000012
【図１１】
2020120393.tif 000013
【図１２】
2020120393.tif 000014
【図１３】
2020120393.tif 000015
【図１４】
2020120393.tif 000016